(57)【要約】      （修正有）【課題】ペットボトル、飲料缶、又は傘、さらに懐中電灯を腰ベルトやリックポケット等に着脱自在に携行する、且つ必要に応じて歩行計を用いる事もできる携帯保持具を提供する。【解決手段】携帯保持具１にペットボトル等装着して携行として用いる時、係止片取付板３の前面にペットボトルの胴部を沿わせて係止片取付板３に設けた面ファスナー４ａによって締め付けながら接合して固定する。また面ファスナー４ａに滑り止材７、さらに下端に凸状部１３を設けることで激しい運動においてもずれ落ちることもなく保持できる。また係止片取付板３の上部に懐中電灯を取付ける設置部を形成して、設置部に懐中電灯を置いて上部面ファスナー６で巻装して固定をするように構成している。さらに、歩行計１４を設けることでその日の歩行数を容易に知ることができる。【選択図】図１０
0003191757.tif 000002
【実用新案登録請求の範囲】
【請求項１】
差込係止片を形成した係止片取付板の一方の側面、または両側面に面ファスナーを設けてペットボトル等の飲料容器、傘等を巻装し固定できるように設ける、
さらに、前記係止片取付板の上部、平行に懐中電灯等の設置部を形成して、前記設置部に上部面ファスナーを設けて前記懐中電灯を前記上部面ファスナーで巻装できるように設けたことを特徴とする携帯保持具。
【請求項２】
ペットボトル等の飲料容器を巻装する前記面ファスナーに滑り止材を設けたことを特徴とする請求項１記載の携帯保持具。
【請求項３】
前記係止片取付板の下端に凸状部を設けたことを特徴とする請求項１又は２記載の携帯保持具。
【請求項４】
前記係止片取付板に歩行計を設けたことを特徴とする請求項１、２、又は３記載の携帯保持具。
【考案の詳細な説明】
【技術分野】
【０００１】
本考案は、散歩、ウォーキング、ハイキング、又は激しいジョキング等においてペットボトルとライト等を同時に支持して、バンド周り、リック、又はカバン等に掛けて飲料水、夜にはライトで照らしながら持ち歩くことができる携帯具に関する。
【背景技術】
【０００２】
従来、散歩、ハイキング、ウォーキング、又はジョギングにおいてペットボトル、飲料缶の各種の飲料水を携帯するにあたり、手で持ち歩くことから一方の手がふさがることで不便である、
また、傘等を持ち歩くとき、折り畳んだ状態を手に持つことも同様に不便である。
【０００３】
また、夜道の散歩等においててライトを必要とするときにペットボトル等を同時に持ち歩くとき、これら両方を携帯するには不便さがあり、高齢者においては非常に不便であるとともに交通事故の元にもなりかねず危険である。
さらに、作業時においてペットボトルや飲料缶の携帯においても不便である。
【０００４】
そこで、伸縮可能なバネ加工された吊下げ部によって、ペットボトルの首部分を挟み込む手段を設けることにより、着脱自在を可能として腰やカバンに掛けて携帯とすることができる携帯型ペットボトルホルダーがある（例えば特許文献１参照）。
【０００５】
また、着脱自在のペットボトルの首部をクリップ保持部で支持、又は開口部を持つリング状で支持して、クリップ部、又はリング状部と連結したフックで腰回りのバンド等に掛けて携帯としたペットボトル保持クリップがある（例えば特許文献２参照）
【０００６】
また、棒状又は板状にして、飲料用ペットボトルの胴部の外周面を当接させる主部が設けられ、且つ、該主部の下端から水平方向に張出す受部が設けられる一方、該主部の上端から前記受部が張出す側とは反対側に屈曲し、主部の下端方向へ延びる差込部が設けられた金属製又は合成樹脂製の保持具本体と、前記ペットボトルとその胴部の軸方向に沿わせて当接させた前記主部とを束ねる帯状又は紐状の結束部材とを備えたペットボトル用携帯保持具がある（例えば特許文献３参照）。
【先行技術文献】
【特許文献】
【０００７】
【特許文献１】実用新案登録第３１２９５１８号広報
【特許文献２】特開２００２−１９３２６０号広報
【特許文献３】実用新案登録第３１４６５１６号広報
【考案の概要】
【考案が解決しようとする課題】
【０００８】
しかし、特許文献１、２のいずれも、ペットボトルの首部の一ヶ所の係止固定をするだけの保持具であることから不安定であって、ジョギング、ハイキング等の激しい行動、又は工事作業等の場合、ペットボトルが首部を支点に揺動して極めて不安定な支持状況から、外れたり、体の一部にあたる不愉快な問題を生じる。
【０００９】
また、特許文献１、２、又は３のいずれも飲料缶、ペットボトル等の一定の長さが定まった形状の容器を携帯として持ち歩くことはできるが、通常の傘、折り畳み傘等を携帯として持ち歩くことには向かないものである。
さらに、懐中電灯を同時に着脱状態にして腰ベルト、又はカバン等に取付けて携帯として持ち歩くことはきないものである。
【課題を解決するための手段】
【００１０】
そこで本考案は、上記の課題になされたもので、ズボンのバンド等に引掛ける係止片を設けた取付板に滑り止を設けた面ファスナーを設けてペットボトル、飲料缶、又は傘ステッキ等を巻装することができる、さらに取付板の上部に面ファスナーを設けて懐中電灯等を取付板面と平行に巻装して、着脱できる係止片を腰回りのベルトに掛けて歩行の前方を照らすように設けることで、ウォーキング、ジョギング、夜道の散歩、又はハイキング等に利用することができるものである。
【００１１】
上記の目的を達成すために、本考案は差込係止片を形成した係止片取付板の一方の側面、または両側面に面ファスナーを取付けてペットボトル等の飲料容器、傘等を巻装し固定できるように設ける、
前記係止片取付板の上部、平行に懐中電灯等の設置部を形成して、前記設置部に上部面ファスナーを設けて前記懐中電灯を前記上部面ファスナーで巻装できるように設けたことを特徴とする。
【００１２】
また、ペットボトル等の飲料容器を巻装する前記面ファスナーに滑り止材を設けたことを特徴とする。
【００１３】
また、前記面ファスナーで巻装したときペットボトル等が下への移動止とする前記係止取付板の下端に凸状部を設けたことを特徴とする。
【００１４】
また、散歩、ウォーキング等の歩行を計測するように前記係止片取付板に歩行計を設けたことを特徴とする。
【考案の効果】
【００１５】
以上の説明から明らかのように、本考案にあってはつぎに列挙する効果が得られる。
【００１６】
散歩、ウォーキング、又はハイキングの外出するとき、飲料水が必要であるがペットボトル、飲料缶などを持ち歩くとき手に持たず、ペットボトル等に装着した携帯保持具一体を腰回りのベルト、リックのポケット等に取付けて携帯とすることができる。
また、飲料水を飲む時はペットボトル、飲料缶より携帯保持具の面ファスナーより外すか、携帯保持具一帯を装着したまま飲むことができるものである。
また、滑り止付面ファスナー、あるいは下端の凸状部により激しい運動やジョキングにおいてもずれたり、外れることなく安定した状態を維持しことから便利である。
また、リックのポケットにも収まりやすいものである。
【００１７】
また、手荷物と雨傘を持ち歩きながら買い物、見学等において、傘などを携帯保持具の面ファスナーで巻装し、取付けて行動ができる便利さがある。
【００１８】
さらに、夜の歩行で暗い状況のもと、街灯が乏しい所、郊外、又は交通の危険な道路などにおいて、携帯保持具の上部に懐中電灯を装着して前方を照らしながら歩くことで交通や障害物から危険を回避できるものである。
【図面の簡単な説明】
【００１９】
【図１】本考案の第一実施例の形態の正面図である。
【図２】第一実施例の形態の係止片側より見た背面図である。
【図３】第一実施例の形態の側面図である。
【図４】第一実施例の携帯保持具にペットボトルと懐中電灯を装着した側面図である。
【図５】第一実施例の形態の携帯保持具をズボンのバンドに引掛け、取付けた図である。
【図６】本考案の第二実施例の形態で面ファスナーに滑り止材を設けた正面図である。
【図７】第二実施例の形態のである係止片側より見た背面図である。
【図８】本考案の第三実施例の形態の側面図である。
【図９】第三実施例の携帯保持具にペットボトルと懐中電灯を装着した側面ずれある。
【図１０】本考案の第四実施例の形態における歩行計を設けた正面図である。
【図１１】第四実施例の形態の側面図である。
【考案を実施するための形態】
【００２０】
本考案の実施例の形態について図面を参照して説明する。
【００２１】
最初に、本考案の第一実施例の形態について図１ないし図５を参照して説明する。
図１は本考案の第一実施例の面ファスナーと上部面ファスナー設けた正面図である。
図２は第一実施例の係止片側より見た背面図である。
図３は第一実施例の側面図である。
図４は第一実施例の携帯保持具の面ファスナー、及び上部面ファスナーによってペットボトルと懐中電灯を装着した側面図である。
図５は第一実施例の携帯保持具をズボンのバンドに引掛け、取付けた状態の図である。
【００２２】
図１ないし図５に示す如く、１は携帯保持具である、２はズボンバンドＤ、衣類ポケット、又はリックポケット等に引掛けて取付ける係止片である、３は係止片設けた板の係止片取付板である、係止片取付板３の一方の側面にバックル８を設けた面ファスナー４ｂを設けて、もう一方の側面に面ファスナー４ａ設ける、
係止片取付板３に面ファスナー４ａ、４ｂを設けることで、ペットボトルＡ、飲料缶等を係止片取付板３の取付板前面３Ａに沿わせて、面ファスナー４ａの粘着面５ａを外側にして巻装しながらバックル８の孔に通して粘着面５ａどうしを合わせて結束して固定する、
また、係止片取付板３の上部に懐中電灯Ｃを置く設置部１０を形成する、設置部１０の下側にファスナー孔９ａ、９ｂを設ける、ファスナー孔９ａに上部面ファスナー６の一方端を取付けて、上部面ファスナー６の他方の端をファスナー孔９ｂに出し入れ自在にして設置部１０に懐中電灯Ｃを置いて上部面ファスナー６の粘着面５ｂを外側にして巻装しながら上部面ファスナー６の端を設置部１０のファスナー孔９ｂに通し、折り返して粘着面どうしを合わせて固定をする。
【００２３】
なお、面ファスナー４ａ、４ｂの種類はＪフックとループの混在タイプを用いたが、その他の面ファスナーで伸縮タイプ、滑り止めを兼ね備えたタイプ、フックとループの単独タイプ等を用いることが可能である。
【００２４】
上記の構成により本考案の第一実施例の携帯保持具１において、ペットボトルＡの胴部Ｂを係止片取付板３の取付板前面３Ａに沿わせた状態で面ファスナー４ａの粘着面５を外側にして図３、図４のペットボトル巻装部分１１に示すように巻装して、面ファスナー４ｂ側のバックル８の孔部に通して折り返して引き締めて胴部Ｂに密着状態しながら粘着面５ａを合わせて接着して固定することで、ペットボトルＡを携帯保持具１に携行することができる。
また、必要によって懐中電灯Ｃを携帯するとき、懐中電灯等装着部分１２に納めるには、ファスナー孔９ａに上部面ファスナー６の一方を挿入して一端を取付ける、図３、図４に示す取付けにおいて上部面ファスナー６の粘着面５ｂを外側にする、上部面ファスナー６の他方をファスナー孔９ｂに出し入れ自在にした状態の懐中電灯装着部分１２を形成して、懐中電灯Ｃを設置部１０に置くように入れて上部面ファスナー６の粘着面６を外側にして引き締めながら粘着面５どうしを接着して固定する、固定するとき懐中電灯Ｃ光源を前方向にして巻装する。
【００２５】
したがって、ペッボトルＡ、懐中電灯Ｃを携帯保持具１に装着することで図５に示すように、係止片２をズボンバンドＤに引掛け取付けることで携行できることから、散歩、ジョギング、ハイキング、又は激しい作業等に用いてもずれたり、抜け落ちたりすることも無いものである、またペットボトルＡ内の飲料水を飲むときズボンベルトＤより係止片２を外して携帯保持具１を装着したまま用いるか、面ファスナー４ａの粘着面５ａを剥がしてペットボトルＡを取り外して飲用する。
さらに、夜の暗く見通しの悪い環境の散歩、ジョギング等において、懐中電灯Ｃのスイッチをオンにして点灯することで、腰の位置より照射することで歩行前方を見分けすることができると同時に車、自転車に注意を促すことができる。
また、ハイキング、登山においてリックのポケットに装着することでポケットより抜け落ちないようにすることで多用途として用いる事ができるものである。
【００２６】
また、本発明の第二実施例の形態について図６、図７を参照して説明する。
図６は本発明の第二実施例の形態の図で、第一実施例の面ファスナー４ａに滑り止材を設けた正面図である。
図７は面ファスナー４ａに滑り止材を設けた携帯保持具の側面図である。
【００２７】
図６、図７に示し如く、７は第一実施形態の面ファスナー４ａの内側に設けた滑り止材７は滑り止シリコンシート、又は滑り止ゴムシート等の合成系、天然系を用いて設ける。
第二実施形態の携帯保持具１の構成は滑り止材７を設けた以外は図１から図５の第一実施形態と同様であるので、同一部分の同一符号を付して説明を省略する。
【００２８】
上記の構成によりペットボトルＡの胴部Ｂ、飲料缶の胴部、又は傘などを係止片取付板３の取付板前面３Ａに沿わせて、接した状態で面ファスナー４ａと滑り止材７をペットボトルＡの胴部Ｂに巻装しながら、粘着面５を外側にして図３、４のペットボトル巻装部分１１に示すように固定する、面ファスナー４ｂ側のバックル８の孔部に通して折り返して引き締めながら粘着面５ａに沿わせて結合することで、ペットボトルＡを携帯保持具１に携行することができる。
また、必要によって懐中電灯Ｃを携帯するとき、第一実施形態の図３、４に示したように懐中電灯等装着部分１２に納める。
【００２９】
したがって、ペットボトルＡ、飲料缶、又は傘等を面ファスナー４ａ、４ｂのみの巻装においても支持状態を維持できるが、さらに滑り止材７によって非常に激しい運動の状態においてもずれる事もなく携帯として安全に利用できるものである。
【００３０】
また、本発明の第三実施例の形態について図８、図９を参照して説明する。
図８は本考案の第三実施例の形態で係止片取付板の下端に凸状部を設けた側面図である。
図９は第三実施例の携帯保持具にペットボトルと懐中電灯を装着した側面ずれある。
【００３１】
図８、図９に示し如く、第三実施形態の携帯保持具の構成は係止片取付板の下端に凸状部１３を設けた以外は図１から図５の第一実施形態と同様であるので、同一部分の同一符号を付して説明を省略する。
【００３２】
したがって、上記の構成により面ファスナー４ａ、４ｂによってペットボトルＡの胴部Ｂ、飲料缶の胴部、又は傘などを係止片取付板３の取付板前面３Ａに沿わせて、接した状態で面ファスナー４ａ、４ｂによってペットボトルＡの胴部Ｂを締め付けながら巻装すると、締め付けによって下端の凸状部１３がペットボトルＡ等の胴部Ｂに圧力が加わることから滑り止めとなり、ペットボトルＡ等は落下防止となり安定した状態を維持することでジョギング、ハイキング、散歩の携帯用具として利用できるものである。
また、必要によって懐中電灯Ｃを携帯するとき、第一実施形態に示したように図３、４の懐中電灯等装着部分１２に納める。
【００３３】
また、本発明の第四実施例の形態について図１０、図１１を参照して説明する。
図１０は本考案の第四実施例の形態で係止片取付板３の部分に歩行計を設けた正面図である。
図１１は第四実施例の形態の側面図である。
【００３４】
図１０、図１１に示す如く、携帯保持具１の係止片取付板３の取付板前面３Ａに散歩、ジョギングとうの歩行のカウント、カロリー計算などを示す歩行計１４を設ける。
また、歩行計１４を設けた以外は図１から図５の第一実施形態と同様であるので、同一部分の同一符号を付して説明を省略する。
【００３５】
したがって、上記の構成により面ファスナー４ａ、４ｂによってペットボトルＡの胴部Ｂ、飲料缶の胴部、又は傘などを取付板前面３Ａに設けた歩行計１４の面に合わせ、接した状態で面ファスナー４ａ、４ｂによってペットボトルＡの胴部Ｂを締め付けながら巻装して、第一、第二、第三実施例の形態により、ペットボトルＡ等は落下防止となり安定した状態を維持することで散歩、ジョギング、ハイキングにおいて利用して、必要においてペットボトルＡ，飲料缶等を外して歩行数、カロリー計算を見る事ができるものである。
また、必要によって懐中電灯Ｃを携帯するとき、第一実施形態に示したように図３、４の懐中電灯等装着部分１２に納める。
以上のことから、ペットボトルＡ、懐中電灯、歩行計を一体として係止片２をズボンベルトＤに取付けて行動することができるものである。
【符号の説明】
【００３６】
１は携帯保持具
２は係止片
３は係止片取付板
３Ａは取付板前面  
４ａ、４ｂは面ファスナー
５ａ、５ｂは粘着面
６は上部面ファスナー
７は滑り止材（滑り止シリコンシート、又は滑り止ゴムシート）
８はバックル
９ａ、９ｂはファスナー孔
１０は設置部
１１はペットボトル巻装部分
１２は懐中電灯巻装部分
１３は凸状部
１４は歩行計
１５は表示面
１６はリセット
Ａはペットボトル
Ｂは胴部(ペットボトル胴部)
Ｃは懐中電灯
Ｄはズボンバンド
【図１】
0003191757.tif 000003
【図２】
0003191757.tif 000004
【図３】
0003191757.tif 000005
【図４】
0003191757.tif 000006
【図５】
0003191757.tif 000007
【図６】
0003191757.tif 000008
【図７】
0003191757.tif 000009
【図８】
0003191757.tif 000010
【図９】
0003191757.tif 000011
【図１０】
0003191757.tif 000012
【図１１】
0003191757.tif 000013